(57)【特許請求の範囲】
【請求項１】
先端に対象物を当接させる内当接面を備える内部材と、
前記内当接面を収納するスペースを有し前記内当接面の外側に位置可能な外当接面を備えるとともに前記内部材に沿ってスライド、係止位置可変の外部材と、
前記外部材の移動と係止を制御する切替機構と、
からなり、
前記外部材の位置移動に伴い、内当接面が前記スペースから露出することで前記対象物が当接する面積を狭め、前記内当接面が前記スペースに収納することで前記対象物の当接する面積を広げることを可能としたことを特徴とする面積可変ストッパ。
【請求項２】
前記内部材の側面に長孔の両端に前記長孔より直径の大きい穴が連設する左溝及び右溝が穿設され、さらに前記外部材に側面にそれぞれ孔が穿設されたうえで、
前記切替機構が、
前記左溝、前記右溝及び前記孔に挿通する軸と、
軸に挿通するバネと、
前記バネの両端に配置される、前記長孔に嵌まらず前記穴には嵌まる前記バネ側に位置する第一リングと前記第一リングに連設され前記長孔に嵌まる第二リングと前記第一リング及び前記第二リングを貫通し前記軸を通す貫通孔を備える左段付きカラー及び右段付きカラーと、
前記スライダの側面に側面方向に回動可能に係止される左羽根及び右羽根と、
前記左羽根及び前記右羽根を貫通した前記軸を脱落しないよう係止する留具と、
からなり、
前記第一リングが前記バネの付勢で前記穴に嵌まることで前記外部材の位置を固定し、前記左羽根及び前記右羽根を左右より前記バネ側に押圧することで前記穴に嵌まった前記第一リングを前記穴から外し、前記第二リングが前記長孔を移動可能にし、前記外部材をスライド可能とし、前記外当接部の固定位置を変更することで前記対象物の当接する面積を可変したことを特徴とする請求項１に記載の面積可変ストッパ。
【請求項３】
前記内部材に連設する取付部を備え、前記取付部が移動体に連結され、請求項１又は請求項２に記載の面積可変ストッパの位置移動を可能としたことを特徴とする。
【請求項４】
前記対象物が、被覆ケーブルであることを特徴とする請求項１〜請求項３のいずれか１項に記載の面積可変ストッパ。
【発明の詳細な説明】
【技術分野】
【０００１】
本発明は、対象物が接触する当接面の広さを可変とし、広範な対象物に汎用できる面積可変ストッパに関する。
【背景技術】
【０００２】
対象物としては、例えば、特許文献１に示すような、多種多様な素材、径がある被覆ケーブルなどが例示でき、ストッパとしては、特許文献１に示すように、被覆ケーブルの被覆の剥離の際に、被覆ケーブルの末端を当接面に当てて位置決めしているストッパ４１が例示できる。
【０００３】
しかしながら、ストッパの当接面が狭い場合、細い被覆ケーブルを長く剥離するときに、被覆ケーブルを挟持する部分（刃）から当接面までの距離が長く、その間に被覆ケーブルが湾曲して被覆ケーブルの末端が当接面に当たらないことがある。他方、剥離長が短い場合には、剥離刃付近まで、当接面を近づける必要があるが、剥離刃近傍が狭い場合は、広い当接面は近づけず、使用できない。
【０００４】
したがって、被覆ケーブルの素材、径、被覆剥離長によって、都度、最適な面積の当接面（ストッパ）に交換する必要があった。
【先行技術文献】
【特許文献】
【０００５】
【特許文献１】特開２０１４−１２４０５１号公報
【発明の概要】
【発明が解決しようとする課題】
【０００６】
そこで、本願出願は、対象物が接触する当接面の広さを可変とし、広範な対象物に汎用できる面積可変ストッパを提供することを目的とする。
【課題を解決するための手段】
【０００７】
本発明は、上記の課題を解決するために、
（１）
先端に対象物を当接させる内当接面を備える内部材と、
前記内当接面を収納するスペースを有し前記内当接面の外側に位置可能な外当接面を備えるとともに前記内部材に沿ってスライド、係止位置可変の外部材と、
前記外部材の移動と係止を制御する切替機構と、
からなり、
前記外部材の位置移動に伴い、内当接面が前記スペースから露出することで前記対象物が当接する面積を狭め、前記内当接面が前記スペースに収納することで前記対象物の当接する面積を広げることを可能としたことを特徴とする面積可変ストッパ。
（２）
前記内部材の側面に長孔の両端に前記長孔より直径の大きい穴が連設する左溝及び右溝が穿設され、さらに前記外部材に側面にそれぞれ孔が穿設されたうえで、
前記切替機構が、
前記左溝、前記右溝及び前記孔に挿通する軸と、
軸に挿通するバネと、
前記バネの両端に配置される、前記長孔に嵌まらず前記穴には嵌まる前記バネ側に位置する第一リングと前記第一リングに連設され前記長孔に嵌まる第二リングと前記第一リング及び前記第二リングを貫通し前記軸を通す貫通孔を備える左段付きカラー及び右段付きカラーと、
前記スライダの側面に側面方向に回動可能に係止される左羽根及び右羽根と、
前記左羽根及び前記右羽根を貫通した前記軸を脱落しないよう係止する留具と、
からなり、
前記第一リングが前記バネの付勢で前記穴に嵌まることで前記外部材の位置を固定し、前記左羽根及び前記右羽根を左右より前記バネ側に押圧することで前記穴に嵌まった前記第一リングを前記穴から外し、前記第二リングが前記長孔を移動可能にし、前記外部材をスライド可能とし、前記外当接部の固定位置を変更することで前記対象物の当接する面積を可変したことを特徴とする（１）に記載の面積可変ストッパ。
（３）
前記内部材に連設する取付部を備え、前記取付部が移動体に連結され、（１）又は（２）に記載の面積可変ストッパの位置移動を可能としたことを特徴とする。
（４）
前記対象物が、被覆ケーブルであることを特徴とする（１）〜（３）のいずれか一に記載の面積可変ストッパ。
の構成とした。
【発明の効果】
【０００８】
本発明は、上記構成であるので、以下の効果を奏する。即ち、対象物が接触する当接面の広さを可変とし、広範な対象物に汎用できる面積可変ストッパを提供できる。その結果、対象物毎に、都度、煩雑な当接面（ストッパ）の着脱を要せず、作業効率が向上する。
【図面の簡単な説明】
【０００９】
【図１】本発明の面積可変ストッパを広い当接面に切り替えたときの斜視写真である。
【図２】本発明の面積可変ストッパを狭い当接面に切り替えたときの斜視写真である。
【図３】本発明の面積可変ストッパを広い当接面に切り替えたときの右側面写真である。一部透過線を白色点線で付加した。
【図４】切り替え機構の説明写真であり、当接面の広さ切り替え途中の底面斜視図写真である。一部透過線を白色点線で付加した。
【図５】本発明の面積可変ストッパを狭い当接面に切り替えたときの底面斜視写真である。一部透過線を白色点線で付加した。
【発明を実施するための形態】
【００１０】
以下、添付の図面を参照し、本発明の実施の形態について、詳細に説明する。なお、本発明は下記実施例に限定されるものではない。
【実施例１】
【００１１】
本発明である面積可変ストッパ１は、図１−５に示すように、取付部２と、内部材３と、外部材４と、切替機構５とからなり、対象物の末端部を当接して、対象物の位置決めをする。
【００１２】
取付部２は、移動体（図示省略）などの取り付け対象に面積可変ストッパ１を連結する際に使用する部分で、取り付け対象に合わせて、形状、向きは適時変更する。移動体は、移動して、対象物と面積可変ストッパ１との距離、すなわち対象物の末端が当接する部分（当接面）との距離を決定する。
【００１３】
内部材３は、取付部２に連設され、ここでは、断面コの字型のガイド３ａと、先端に対象物を当接させる内当接面３ｂを備える。角形のガイド３ａと円形の内当接面３ｂはネジ３ｃで連結した。
【００１４】
なお、後述の切替機構５を採用する場合には、ガイド３ａの側面に、長孔３ｇの両端に長孔３ｇより直径の大きい穴３ｆが連設する左溝３ｄ及び右溝３ｅが穿設される。
【００１５】
外部材４は、内当接面３ｂを収納するスペース４ｃを有し内当接面３ｂの外側に位置可能な外当接面４ｂを備えるとともに内部材のガイド３ａに沿ってスライド、係止位置可変なスライダ４ａとからなる。スライダ４ａの外当接面４ｂに接触するところは突起して、外当接面４ｂの変更を防ぐ、押さえ４ｆを形成する。
【００１６】
なお、後述の切替機構５を採用する場合には、側面にそれぞれ孔が穿設され、さらに、切替機構５の一部を側面方向に回動可能に係止する係止部４ｄを側面に備える。
【００１７】
取付部２及び内部材３のガイド３ａ、また、同様に外部材４は、それぞれ一枚の板を折り曲げ、必要な穿設をすることで成形できる。
【００１８】
切替機構５は、外部材４のスライド移動と係止を制御するものであって、軸５ｄと、バネ５ｅと、左段付きカラー５ｆ及び右段付きカラー５ｇと、左羽根５ａと右羽根５ｂと、留具５ｊとからなる。
【００１９】
軸５ｄは、左溝３ｄ及び右溝３ｅ及び外部材４に側面の孔に挿通する、両端部は留具５ｊで脱落しないよう、係止される。
【００２０】
バネ５ｅは、軸５ｄに挿通し、左段付きカラー、右段付きカラーをバネ５ｅの端部側に追いやるバネ付勢を付加する。
【００２１】
左段付きカラー５ｆ及び右段付きカラー５ｇは、同一形状で、バネ５ｅの両端の軸５ｄに配置される。左段付きカラー５ｆ及び右段付きカラー５ｇは、図５に明示したように、それぞれ、長孔３ｇに嵌まらず穴３ｆには嵌まるバネ５ｅ側に位置する第一リング５ｋと第一リング５ｋに連設され長孔３ｇに嵌まる第二リング５ｍと、第一リング５ｋ及び第二リング５ｍを貫通し軸５ｄを通す貫通孔５ｎを備えてなる。
【００２２】
左羽根５ａ及び右羽根５ｂは、同一形状で、指で押圧し、スライダ４aの側面に側面方向に突出した係止部４ｄの溝４ｅに突起５ｃを嵌め、側面方向に回動可能に係止される。
【００２３】
留具５ｊは、左羽根５ａ及び右羽根５ｂを貫通した軸５ｄを脱落しないよう係止するもので、ここでは、ワッシャー５ｈと軸５ｄの溝に係止されるＣリング５ｉとからなる。
【００２４】
このようにしてなる切替機構５は、第一リング５ｋがバネ５ｅの付勢で穴３ｆに嵌まることで外部材４の位置を固定し、左羽根５ａ及び右羽根５ｂを左右よりバネ５ｅ側に押圧することで穴３ｆに嵌まった第一リング５ｋを穴３ｆから外し、第二リング５ｍが長孔３ｇを移動可能にし、外部材４をスライド可能とする。
【００２５】
以上の構成により、外部材４の位置移動に伴い、内当接面３ｂがスペース４ｃから露出することで対象物が当接する面積を狭め、内当接面３ｂをスペース４ｃに収納することで対象物の当接する面積を広げることを可能とする。すなわち、外当接面４ｂの固定位置を変更することで対象物の当接する面積を可変とすることができる。
【００２６】
例えば、対象物の導入箇所と内当接面３ｂとの距離がある場合に、内当接面３ｂの外側に外当接面４ｂを位置させ、当接面を拡張し、対象物が曲がっても当接面から逃げないようにすること、さらに外当接面４ｂが入り込めない狭小部に内当接面３ｂのみ露出して挿入することが可能になり、ストッパの交換なしに、利用範囲が広がる。本発明は、特に、特許文献１の被覆ケーブル被覆剥離装置のストッパ４１の代替として好適である。
【符号の説明】
【００２７】
１    面積可変ストッパ
２    取付部
３    内部材
３ａ  ガイド
３ｂ  内当接面
３ｃ  ネジ
３ｄ  左溝
３ｅ  右溝
３ｆ  穴
３ｇ  長孔
４    外部材
４ａ  スライダ
４ｂ  外当接面
４ｃ  スペース
４ｄ  係止部
４ｅ  溝
４ｆ  押さえ
５    切替機構
５ａ  左羽根
５ｂ  右羽根
５ｃ  突起
５ｄ  軸
５ｅ  バネ
５ｆ  左段付きカラー
５ｇ  右段付きカラー
５ｈ  ワッシャー
５ｉ  Ｃリング
５ｊ  留具
５ｋ  第一リング
５ｍ  第二リング
５ｎ  貫通孔
【要約】
【課題】対象物が接触する当接面の広さを可変とし、広範な対象物に汎用できる面積可変ストッパを提供する。
【解決手段】先端に対象物を当接させる内当接面を備える内部材と、前記内当接面を収納するスペースを有し前記内当接面の外側に位置可能な外当接面を備えるとともに前記内部材に沿ってスライド、係止位置可変の外部材と、前記外部材の移動と係止を制御する切替機構と、からなり、
前記外部材の位置移動に伴い、内当接面が前記スペースから露出することで前記対象物が当接する面積を狭め、前記内当接面が前記スペースに収納することで前記対象物の当接する面積を広げることを可能としたことを特徴とする面積可変ストッパの構成とした。
【選択図】図１【図１】
0006910089.tif 000002
【図２】
0006910089.tif 000003
【図３】
0006910089.tif 000004
【図４】
0006910089.tif 000005
【図５】
0006910089.tif 000006